(57)【要約】【課題】消費電力を抑制しつつより多くの情報を表示することが可能な表示装置等を提供する。【解決手段】表示装置１００は、第１表示部１１４と、第１表示部１１４の前面に積層され、第１表示部１１４よりも消費電力が小さい第２表示部１２４と、第１表示部１１４を制御するメインＣＰＵ１１１と、第１表示部１１４及び第２表示部１２４を制御し、メインＣＰＵ１１１よりも消費電力が小さいサブＣＰＵ１２１と、を備える。サブＣＰＵ１２１は、メインＣＰＵ１１１が動作を停止している状態において、メインＣＰＵ１１１が第１表示部１１４に表示させる情報よりも処理負荷が軽い第１情報を第１表示部１１４に表示させ、かつ第２表示部１２４に第２情報を表示させる。【選択図】図１
2020098299.tif 000002
【特許請求の範囲】
【請求項１】
第１表示部と、
前記第１表示部の視認側に積層され、前記第１表示部よりも消費電力が小さい第２表示部と、
前記第１表示部を制御する第１制御部と、
前記第１表示部及び前記第２表示部を制御し、前記第１制御部よりも消費電力が小さい第２制御部と、
を備え、
前記第２制御部は、前記第１制御部が動作を停止している状態において、前記第１制御部が前記第１表示部に表示させる情報よりも処理負荷が軽い第１情報を前記第１表示部に表示させ、かつ前記第２表示部に第２情報を表示させる、
ことを特徴とする表示装置。
【請求項２】
前記第２制御部は、前記第１制御部が動作している状態において、前記第１表示部に前記第１情報を表示させ、かつ前記第２表示部に前記第２情報を表示させる、
ことを特徴とする請求項１に記載の表示装置。
【請求項３】
前記第２制御部は、前記第１表示部の、前記第２情報が表示されている前記第２表示部の領域と少なくとも一部が重ならない領域に、前記第１情報を表示させる、
ことを特徴とする請求項１または２に記載の表示装置。
【請求項４】
前記第１情報は、前記第１制御部が前記第１表示部に表示させる情報よりも更新頻度が低い、
ことを特徴とする請求項１乃至３のいずれか１項に記載の表示装置。
【請求項５】
前記第１情報は、前記第１制御部が前記第１表示部に表示させる情報よりも表示サイズが小さい、
ことを特徴とする請求項１乃至４のいずれか１項に記載の表示装置。
【請求項６】
前記第１情報は、前記第１制御部が前記第１表示部に表示させる情報よりも使用する色数が少ない、
ことを特徴とする請求項１乃至５のいずれか１項に記載の表示装置。
【請求項７】
前記第２制御部は、前記第２表示部に前記第２情報を表示している間、ユーザから所定の操作を受け付けると、前記第１表示部に前記第１情報を表示させ、前記第１表示部に前記第１情報を表示させてから所定時間経過すると、前記第１表示部への前記第１情報の表示を終了する、
ことを特徴とする請求項１乃至６のいずれか１項に記載の表示装置。
【請求項８】
前記第２制御部が前記第２表示部を光が透過可能な状態に制御することにより、前記第１制御部により前記第１表示部に表示される情報が前記第２表示部を介して視認可能な第１表示モードと、
前記第２制御部が、前記第１制御部が動作を停止している状態において、前記第２表示部に第２情報を表示させる第２表示モードと、
前記第２制御部が、前記第１制御部が動作を停止している状態において、前記第１表示部に第１情報を表示させ、かつ前記第２表示部に第２情報を表示させる第３表示モードと、
を切替可能である、
ことを特徴とする請求項１乃至７のいずれか１項に記載の表示装置。
【請求項９】
前記第２表示部は、セグメント表示により前記第２情報を表示するセグメント表示領域を含む、
ことを特徴とする請求項１乃至８のいずれか１項に記載の表示装置。
【請求項１０】
前記第２表示部は、前記第１表示部よりも解像度が低いドットマトリックス表示により前記第２情報を表示するドットマトリックス表示領域を含む、
ことを特徴とする請求項１乃至８のいずれか１項に記載の表示装置。
【請求項１１】
現在時刻を計時する計時部をさらに備え、
前記第２表示部は、前記第２情報として前記計時部により計時された現在時刻を表示する、
ことを特徴とする請求項１乃至１０のいずれか１項に記載の表示装置。
【請求項１２】
第１表示部と、前記第１表示部の前面に積層され、前記第１表示部よりも消費電力が小さい第２表示部と、前記第１表示部を制御する第１制御部と、前記第１表示部及び前記第２表示部を制御し、前記第１制御部よりも消費電力が小さい第２制御部と、を備える表示装置の表示制御方法であって、
前記第２制御部が、前記第１制御部が動作を停止している状態において、前記第１制御部が前記第１表示部に表示させる情報よりも処理負荷が軽い第１情報を前記第１表示部に表示させ、かつ前記第２表示部に第２情報を表示させるステップを含む、
ことを特徴とする表示制御方法。
【請求項１３】
第１表示部と、前記第１表示部の前面に積層され、前記第１表示部よりも消費電力が小さい第２表示部と、前記第１表示部を制御する第１制御部と、前記第１表示部及び前記第２表示部を制御し、前記第１制御部よりも消費電力が小さいコンピュータと、を備える表示装置の前記コンピュータを、
前記第１制御部が動作を停止している状態において、前記第１制御部が前記第１表示部に表示させる情報よりも処理負荷が軽い第１情報を前記第１表示部に表示させ、かつ前記第２表示部に第２情報を表示させる表示制御手段、
として機能させることを特徴とするプログラム。
【発明の詳細な説明】
【技術分野】
【０００１】
この発明は、表示装置、表示制御方法、及びプログラムに関する。
【背景技術】
【０００２】
従来より、携帯電話端末などの小型端末において、より多くの情報を表示するために、カラー表示が可能なカラー液晶パネルと、カラー液晶パネルよりも低消費電力の白黒液晶パネルとを上下に重ねて選択的に切り替える技術がある（例えば、特許文献１）。
【先行技術文献】
【特許文献】
【０００３】
【特許文献１】特開２００３−３５９００号公報
【発明の概要】
【発明が解決しようとする課題】
【０００４】
特許文献１に開示されている技術において、白黒液晶パネルとして、より消費電力が低いセグメント表示が可能な表示部を利用する場合、セグメント数が限られているため、表示可能な情報が限定される。また、多くの情報を表示するためにセグメント数を増やすと、セグメントを駆動する表示ドライバが大きくなるため、装置全体の小型化が困難になる。
【０００５】
この発明の目的は、消費電力を抑制しつつより多くの情報を表示することが可能な表示装置、表示制御方法、及びプログラムを提供することにある。
【課題を解決するための手段】
【０００６】
本発明は、上記目的を達成するため、本発明の観点に係る表示装置は、
第１表示部と、
前記第１表示部の視認側に積層され、前記第１表示部よりも消費電力が小さい第２表示部と、
前記第１表示部を制御する第１制御部と、
前記第１表示部及び前記第２表示部を制御し、前記第１制御部よりも消費電力が小さい第２制御部と、
を備え、
前記第２制御部は、前記第１制御部が動作を停止している状態において、前記第１制御部が前記第１表示部に表示させる情報よりも処理負荷が軽い第１情報を前記第１表示部に表示させ、かつ前記第２表示部に第２情報を表示させる、
ことを特徴とする。
【発明の効果】
【０００７】
本発明に従うと、消費電力を抑制しつつより多くの情報を表示することができる。
【図面の簡単な説明】
【０００８】
【図１】実施形態に係る表示装置の構成例を示すブロック図である。
【図２】実施形態に係る第２表示部の画面構成を示す図である。
【図３】実施形態に係る第１表示部、第２表示部、及び第１操作受付部としてのタッチパネルの配置を説明するための図である。
【図４】（ａ）は、実施形態に係る表示装置のカラー表示モードにおける表示例、（ｂ）はセグメント表示モードにおける表示例、（ｃ）は同時表示モードにおける表示例、（ｄ）は同時表示モードにおける別の表示例をそれぞれ示す図である。
【図５】実施形態に係る表示装置が実行する表示制御処理のフローチャートである。
【発明を実施するための形態】
【０００９】
以下、好ましい実施の形態を図面に基づいて説明する。
【００１０】
図１は、実施形態に係る表示装置１００の構成例を示すブロック図である。本実施形態において、表示装置１００は、ユーザの腕に装着可能なスマートウォッチであるとして説明する。しかし、表示装置１００は、スマートウォッチに限られず、例えば、携帯電話、スマートフォン、ＰＣ（Personal Computer）、ＰＤＡ（Personal Digital Assistant）といった、表示機能を備える電子機器であればよい。
【００１１】
まず、本実施形態に係る表示装置１００のハードウェア構成について説明する。図１に示すように、表示装置１００は、メインＣＰＵ（Central Processing Unit）１１１と、第１ＲＡＭ（Random Access Memory）１１２と、第１ＲＯＭ（Read Only Memory）１１３と、第１表示部１１４と、第１表示ドライバ１１５と、第１操作受付部１１６と、通信部１１７と、アンテナ１１８と、サブＣＰＵ１２１と、第２ＲＡＭ１２２と、第２ＲＯＭ１２３と、第２表示部１２４と、第２表示ドライバ１２５と、第２操作受付部１２６と、計時部１２７と、センサ部１２８と、電力供給部１２９と、を備える。
【００１２】
メインＣＰＵ１１１は、本発明に係る第１制御部の一例であって、各種演算処理を行い、表示装置１００の全体動作を統括制御するプロセッサである。第１ＲＡＭ１１２は、ＳＲＡＭ（Static Random Access Memory）やＤＲＡＭ（Dynamic Random Access Memory）などの揮発性のメモリであり、メインＣＰＵ１１１に作業用のメモリ空間を提供して一時データを記憶すると共に、各種設定データを記憶する。第１ＲＯＭ１１３は、マスクＲＯＭや書き換え可能な不揮発性メモリなどであり、制御プログラムや初期設定データが記憶されている。メインＣＰＵ１１１は、第１ＲＯＭ１１３から制御プログラムを読み出し、第１ＲＡＭ１１２にロードして、第１表示部１１４への表示や各種機能に係る演算制御などの各種動作処理を行う。
【００１３】
第１表示部１１４は、例えば、液晶ディスプレイ（ＬＣＤ：Liquid Crystal Display）や有機ＥＬ（Electro Luminescence）ディスプレイなど、カラー表示が可能な表示画面を備える。第１表示ドライバ１１５は、メインＣＰＵ１１１またはサブＣＰＵ１２１からの制御信号に基づいて第１表示部１１４に表示するためのデータを生成し、第１表示部１１４に出力する。本実施形態において、第１表示部１１４は、背景画像や、時刻情報、センサ情報、送受信したメッセージなどの各種の情報を表示する。
【００１４】
第１操作受付部１１６は、例えばキーやボタン、マイク、タッチパネルを備え、ユーザからの操作入力を受け付けて、当該操作入力に応じた信号をメインＣＰＵ１１１に出力する。本実施形態において、第１操作受付部１１６として、タッチパネル１４１が後述するように第２表示部１２４を介して第１表示部１１４の表示画面に重ねて設けられる。タッチパネル１４１は、当該タッチパネル１４１へのユーザの接触操作に係る接触位置や接触態様を検出し、検出された接触位置や接触態様に応じた操作信号をメインＣＰＵ１１１に出力する。
【００１５】
通信部１１７は、Ｂｌｕｅｔｏｏｔｈ（登録商標）等の近距離無線通信や無線ＬＡＮ（Local Area Network）のための無線通信モジュールから構成され、アンテナ１１８を介して外部の電子機器と無線通信を行う。
【００１６】
サブＣＰＵ１２１は、本発明に係る第２制御部の一例であって、第２表示部１２４への表示を制御するプロセッサである。サブＣＰＵ１２１は、メインＣＰＵ１１１よりも処理能力は低いが、メインＣＰＵ１１１よりも低い消費電力で動作可能である。第２ＲＡＭ１２２は、ＳＲＡＭやＤＲＡＭなどの揮発性のメモリであり、サブＣＰＵ１２１に作業用のメモリ空間を提供して一時データを記憶すると共に、各種設定データを記憶する。第２ＲＯＭ１２３は、マスクＲＯＭや書き換え可能な不揮発性メモリなどであり、制御プログラムや初期設定データが記憶されている。サブＣＰＵ１２１は、第２ＲＯＭ１２３から制御プログラムを読み出し、第２ＲＡＭ１２２にロードして、第２表示部１２４への表示や各種機能に係る演算制御などの各種動作処理を行う。
【００１７】
第２表示部１２４は、例えば、部分的に又は全体的に光を透過可能なＰＮ（Polymer Network）液晶ディスプレイから構成され、第１表示部１１４の前面に積層されている。第２表示部１２４は、電圧を印加しない時は、液晶分子が不規則に並び、外部から入射した光は液晶層で散乱され白表示となる。また、第２表示部１２４は、所定の電圧を印加すると、不規則に並んでいた液晶分子が表示面に対して垂直に並んで光が透過可能な状態となるため、第２表示部１２４を介して第１表示部１１４の表示が視認可能になる。第２表示ドライバ１２５は、サブＣＰＵ１２１からの制御信号に基づいて第２表示部１２４に表示するためのデータを生成し、第２表示部１２４に出力する。本実施形態において、第２表示部１２４は、後述するように、センサ部１２８から取得された情報や時刻情報等の第２情報を表示する。
【００１８】
図２に本実施形態に係る第２表示部１２４の画面構成について説明する。図２に示すように、第２表示部１２４は、ドットマトリックス表示領域２０１と、第１セグメント表示領域２０２と、第２セグメント表示領域２０３とを含む。ドットマトリックス表示領域２０１は、正方形のドットを縦横に並べて文字や図形などを表示する領域である。ドットマトリックス表示領域２０１には、例えば、曜日を表すアルファベットや、日にちを表す数字が表示される。第１セグメント表示領域２０２及び第２セグメント表示領域２０３は、８の字型に配置された棒状の７つのセグメントで数字を表示する領域である。第１セグメント表示領域２０２には、例えば、時分秒を表す数字が表示される。また、第２セグメント表示領域２０３には、例えば、バッテリ残量（％）を表す数字が表示される。
【００１９】
このように、本実施形態に係る第２表示部１２４の画面は、第１表示部１１４よりも画素数（ドット）が少ないドットマトリックス表示領域２０１と、７つのセグメントで数字を表示する第１セグメント表示領域２０２及び第２セグメント表示領域２０３とから構成されるため、第１表示部１１４と比較して表示可能な情報が制限され、簡易な表示にはなるものの、低消費電力で表示することができる。
【００２０】
第２操作受付部１２６は、例えばキーやボタンを備え、ユーザからの操作入力を受け付けて、当該操作入力に応じた信号を入力信号としてメインＣＰＵ１１１またはサブＣＰＵ１２１に出力する。
【００２１】
計時部１２７は、発振回路、分周回路、計時回路等から構成され、現在時刻を計時する。
【００２２】
センサ部１２８は、例えば脈拍センサ、地磁気センサ、加速度センサ、ジャイロセンサ、照度センサ等の各種センサや、位置センサとして、ＧＰＳ（Global Positioning System）衛星からの送信電波を受信し、処理することにより、日時情報や位置情報を取得するＧＰＳ受信モジュールから構成される。センサ部１２８は、計測したデータを表す信号をサブＣＰＵ１２１に出力する。
【００２３】
電力供給部１２９は、バッテリを備え、表示装置１００の動作に係る電力を各部にその動作電圧で供給する。電力供給部１２９のバッテリとして、例えばリチウムイオン電池等の二次電池が用いられる。また、電力供給部１２９のバッテリ残量を計測する回路を備え、計測したバッテリ残量を表す信号をサブＣＰＵ１２１に出力する。
【００２４】
次に、本実施形態における第１表示部１１４及び第２表示部１２４の配置について説明する。図３は、本実施形態における第１表示部１１４、第２表示部１２４、及び第１操作受付部１１６としてのタッチパネル１４１の配置を説明するための図である。図３に示すように、表示装置１００において、上（視認側）から順にタッチパネル１４１、第２表示部１２４、第１表示部１１４が積層している。従って、第２表示部１２４に所定の電圧を印加して光が透過可能な状態にすると、ユーザは第２表示部１２４を介して第１表示部１１４の表示が視認可能になる。
【００２５】
次に、本実施形態に係る表示装置１００のメインＣＰＵ１１１及びサブＣＰＵ１２１の機能構成について説明する。図１に示すように、本実施形態において、メインＣＰＵ１１１は、カラー表示制御部１５１として、サブＣＰＵ１２１は、セグメント表示制御部１５２及び同時表示制御部１５３として機能する。
【００２６】
カラー表示制御部１５１としてのメインＣＰＵ１１１は、カラー表示モードにおいて、第１表示ドライバ１１５を制御することにより、第１表示部１１４にカラー情報を表示させる。ここで、カラー表示モードとは、本発明に係る第１表示モードの一例であって、サブＣＰＵ１２１が第２表示部１２４に所定の電圧を印加して第２表示部１２４を光が透過可能な状態に制御することにより、ユーザが第２表示部１２４を介して第１表示部１１４に表示されるカラー情報を視認可能なモードである。
【００２７】
図４（ａ）に、本実施形態に係る表示装置１００のカラー表示モードにおける表示例を示す。図４（ａ）に示す例では、メインＣＰＵ１１１は、背景画像や現在時刻を表す画像をカラー情報として第１表示部１１４に表示させており、カラー情報は透過状態に制御された第２表示部１２４を介して視認可能である。また、カラー表示モードでは、メインＣＰＵ１１１は、ユーザによるタッチパネル１４１からの操作入力を受け付け、その操作入力に応じて各種の情報を第１表示部１１４に表示させる。
【００２８】
セグメント表示制御部１５２としてのサブＣＰＵ１２１は、セグメント表示モードにおいて、第２表示ドライバ１２５を制御することにより、第２表示部１２４に第２情報を表示させる。ここで、セグメント表示モードとは、本発明に係る第２表示モードの一例であって、メインＣＰＵ１１１が動作を停止している状態において、サブＣＰＵ１２１が第２表示部１２４に第２情報を表示させるモードである。セグメント表示モードでは、メインＣＰＵ１１１及び第１表示部１１４の電源がオフになることにより、第１表示部１１４は黒を表示する。サブＣＰＵ１２１は、計時部１２７やセンサ部１２８からの出力信号に基づいて、現在時刻やセンサ情報を取得し、第２情報として、第２表示部１２４に表示させる。
【００２９】
図４（ｂ）に、本実施形態に係る表示装置１００のセグメント表示モードにおける表示例を示す。図４（ｂ）に示す例において、サブＣＰＵ１２１は、第２表示部１２４のドットマトリックス表示領域２０１に曜日を表すアルファベット「MO」と日にちを表す数字「6」、第１セグメント表示領域２０２に現在の時分秒を表す数字「14:00 25」、第２セグメント表示領域２０３にバッテリ残量を表す数字「77」をそれぞれ第２情報として表示させる。なお、セグメント表示モードにおいて、メインＣＰＵ１１１及びタッチパネル１４１の電源がオフであるため、タッチパネル１４１への操作入力は受け付けられない。
【００３０】
同時表示制御部１５３としてのサブＣＰＵ１２１は、本発明に係る第３表示モードの一例である同時表示モードにおいて、第１表示ドライバ１１５及び第２表示ドライバ１２５を制御することにより、第１表示部１１４に第１情報（後述）を表示させ、かつ第２表示部１２４に第２情報を表示させる。同時表示モードでは、セグメント表示モードと同様に、メインＣＰＵ１１１の電源はオフになり、動作を停止している。サブＣＰＵ１２１は、計時部１２７やセンサ部１２８からの出力信号に基づいて、現在時刻やセンサ情報を取得し、第１表示ドライバ１１５及び第２表示ドライバ１２５を制御して第１表示部１１４に第１情報、第２表示部１２４に第２情報をそれぞれ表示させる。
【００３１】
図４（ｃ）に、本実施形態に係る表示装置１００の同時表示モードにおける表示例を示す。図４（ｃ）に示す例において、サブＣＰＵ１２１は、図４（ｂ）に示す表示例と同様に第２表示部１２４のドットマトリックス表示領域２０１、第１セグメント表示領域２０２、及び第２セグメント表示領域２０３に第２情報をそれぞれ表示させる。さらにサブＣＰＵ１２１は、第１表示ドライバ１１５を制御して、第１表示部１１４の、ドットマトリックス表示領域２０１の上方の領域に年月を表す数字「2018/8」を、第２セグメント表示領域２０３の左右の領域に歩数を表す情報「歩数 7750歩」及び高度を表す情報「高度 165m」を第１情報として第１表示部１１４に表示させる。なお、同時表示モードにおいて第１表示部１１４に表示される第１情報は、カラー表示モードにおいて表示されるカラー情報と比較して、更新頻度が低い情報や、表示サイズが小さい情報や、使用する色数が少ない、または単色で表示される情報といった、サブＣＰＵ１２１により処理可能な処理負荷の軽い情報である。
【００３２】
図４（ｄ）に、本実施形態に係る表示装置１００の同時表示モードにおける別の表示例を示す。図４（ｄ）に示す例において、サブＣＰＵ１２１は、図４（ｂ）に示す表示例と同様に第２表示部１２４のドットマトリックス表示領域２０１、第１セグメント表示領域２０２、及び第２セグメント表示領域２０３に第２情報をそれぞれ表示させる。さらにサブＣＰＵ１２１は、第１表示ドライバ１１５を制御して、第１表示部１１４の、第２セグメント表示領域２０３の左側の領域にバッテリの充電を促すメッセージ「Charge!」を第１情報として第１表示部１１４に表示させる。
【００３３】
本実施形態において、表示装置１００は、上記のカラー表示モード、セグメント表示モード、及び同時表示モードの３つのモードを、ユーザによる選択入力、または特定のモードに遷移してからの経過時間に応じて切替可能である。例えば、表示装置１００のメインＣＰＵ１１１は、表示装置１００の電源がオンされた直後の初期状態において、カラー表示モードで第１表示部１１４に表示する。そして、ユーザが第１操作受付部１１６を介してセグメント表示モードを選択すると、メインＣＰＵ１１１は電源をオフにすることにより動作を停止し、サブＣＰＵ１２１がセグメント表示モードでの第２表示部１２４への表示を開始する。さらにサブＣＰＵ１２１は、第２表示部１２４に第２情報を表示している間、ユーザから第２操作受付部１２６を介して所定の操作を受け付けると、同時表示モードに遷移して、第１表示部１１４に第１情報を表示させる。そして、サブＣＰＵ１２１は、第１表示部１１４に第１情報を表示させてから所定時間（例えば１０秒間）経過すると、第１表示部１１４への第１情報の表示を終了し、セグメント表示モードに戻る。また、ユーザが第２操作受付部１２６を介してカラー表示モードを選択すると、メインＣＰＵ１１１は電源がオンになりし、メインＣＰＵ１１１がカラー表示モードでの第１表示部１１４への表示を開始する。
【００３４】
次に、本実施形態に係る表示装置１００の動作について説明する。図５は、本実施形態における表示装置１００の表示制御処理の一例を示すフローチャートである。表示装置１００のメインＣＰＵ１１１は、例えば、表示装置１００の電源がオンになったことを契機として図５に示す表示制御処理を開始する。
【００３５】
まず、メインＣＰＵ１１１は、カラー表示モードで第１表示部１１４への表示を行う（ステップＳ１０１）。
【００３６】
そして、メインＣＰＵ１１１は、第１操作受付部１１６を介してユーザからセグメント表示モードの選択を受け付けたか否かを判定する（ステップＳ１０２）。メインＣＰＵ１１１は、第１操作受付部１１６を介してユーザからセグメント表示モードの選択を受け付けていないと判定したとき（ステップＳ１０２；Ｎｏ）、カラー表示モードでの表示を継続する。
【００３７】
メインＣＰＵ１１１は、第１操作受付部１１６を介してユーザからセグメント表示モードの選択を受け付けたと判定したとき（ステップＳ１０２；Ｙｅｓ）、メインＣＰＵ１１１は、第１表示部１１４の電源をオフし、サブＣＰＵ１２１は、セグメント表示モードで第２表示部１２４への表示を行う（ステップＳ１０３）。
【００３８】
次に、サブＣＰＵ１２１は、第２操作受付部１２６を介してユーザから同時表示モードの選択を受け付けたか否かを判定する（ステップＳ１０４）。サブＣＰＵ１２１は、第２操作受付部１２６を介してユーザから同時表示モードの選択を受け付けていないと判定したとき（ステップＳ１０４；Ｎｏ）、第２操作受付部１２６を介してカラー表示モードの選択を受け付けたか否かを判定する（ステップＳ１０５）。
【００３９】
サブＣＰＵ１２１は、第２操作受付部１２６を介してユーザからカラー表示モードの選択を受け付けていないと判定したとき（ステップＳ１０５；Ｎｏ）、ステップＳ１０４に戻ってセグメント表示モードでの表示を継続する。またサブＣＰＵ１２１は、第２操作受付部１２６を介してユーザからカラー表示モードの選択を受け付けたと判定したとき（ステップＳ１０５；Ｙｅｓ）、ステップＳ１０１に戻ってカラー表示モードでの表示を開始する。
【００４０】
サブＣＰＵ１２１は、第２操作受付部１２６を介してユーザから同時表示モードの選択を受け付けたと判定したとき（ステップＳ１０４；Ｙｅｓ）、サブＣＰＵ１２１は、第１表示部１１４の電源をオンし、同時表示モードで第１表示部１１４及び第２表示部１２４への表示を行う（ステップＳ１０６）。
【００４１】
次に、サブＣＰＵ１２１は、ステップＳ１０６において同時表示モードでの表示を開始してから所定時間（例えば１０秒間）が経過したか否かを判定する（ステップＳ１０７）。サブＣＰＵ１２１は、所定時間が経過していないと判定すると（ステップＳ１０７；Ｎｏ）、ステップＳ１０７に戻って、同時表示モードでの表示を継続する。サブＣＰＵ１２１は、所定時間が経過したと判定すると（ステップＳ１０７；Ｙｅｓ）、ステップＳ１０３に戻って、セグメント表示モードでの表示を開始する。
【００４２】
メインＣＰＵ１１１及びサブＣＰＵ１２１は、上記の処理を、例えば表示装置１００の電源がオフになるまで繰り返し実行する。
【００４３】
以上説明したように、本実施形態に係る表示装置１００において、サブＣＰＵ１２１は、メインＣＰＵ１１１が動作を停止している状態において、第１表示部１１４に第１情報を表示させ、かつ第２表示部１２４に第２情報を表示させる。このように、メインＣＰＵ１１１よりも低消費電力のサブＣＰＵ１２１により第１表示部１１４への表示もさらに行うため、消費電力を抑制しつつより多くの情報を表示することができる。
【００４４】
また、本実施形態に係る表示装置１００において、サブＣＰＵ１２１は、ドットマトリックス表示領域２０１の上方の領域や、第２セグメント表示領域２０３の左右の領域といった、第２情報が表示されている領域と少なくとも一部が重ならない第１表示部１１４の領域に第１情報を表示させる。そのため、表示装置１００は、第２表示部１２４の第２情報が表示されていない領域を有効的に活用して、より多くの情報を表示することができる。
【００４５】
また、本実施形態に係る表示装置１００において、サブＣＰＵ１２１は、第２表示部１２４に第２情報を表示している間、ユーザから第２操作受付部１２６を介して所定の操作を受け付けると、第１表示部１１４に第１情報を表示させる。そして、サブＣＰＵ１２１は、第１表示部１１４に第１情報を表示させてから所定時間経過すると、第１表示部１１４への第１情報の表示を終了する。そのため、表示装置１００は、第２表示部よりも消費電力が大きい第１表示部１１４に第１情報を表示する時間を制限することにより、表示装置１００全体での消費電力をより抑制することができる。
【００４６】
また、本実施形態に係る表示装置１００は、サブＣＰＵ１２１が第２表示部１２４を光が透過可能な状態に制御することにより、メインＣＰＵ１１１により第１表示部１１４に表示されるカラー情報が第２表示部１２４を介して視認可能なカラー表示モードと、サブＣＰＵ１２１が、メインＣＰＵ１１１が動作を停止している状態において、第２表示部１２４に第２情報を表示させるセグメント表示モードと、サブＣＰＵ１２１が、メインＣＰＵ１１１が動作を停止している状態において、第１表示部１１４に第１情報を表示させ、かつ第２表示部１２４に第２情報を表示させる同時表示モードと、を切替可能である。そのため、表示装置１００は、ユーザが所望する情報に合わせて表示モードを切り替えることが可能であるとともに、消費電力を抑制することができる。
【００４７】
なお、本発明は、上記実施の形態に限られるものではなく、様々な変更が可能である。
【００４８】
例えば、上記の実施形態において、ユーザからの同時表示モードの選択を受け付けたことを契機として、表示装置１００がセグメント表示モードから同時表示モードへ切り替える例について説明した。しかし、同時表示モードに切り替わる契機はこれに限られない。例えば、表示装置１００は、センサ部１２８により計測されたデータや、電力供給部１２９により計測されたバッテリ残量に基づいて、同時表示モードに切り替えてもよい。例えば、表示装置１００は、電力供給部１２９により計測されたバッテリ残量が所定の閾値よりも低下したとき、同時表示モードに切り替えて図４（ｄ）に示すように第１表示部に第１情報を表示してもよい。また、同時表示モードにおいて第１情報を第１表示部１１４に表示する際、単色でもよいしカラーで表示してもよい。例えば、図４（ｄ）に示す表示例において、バッテリの充電を促すメッセージ「Charge!」を第１情報として赤色で第１表示部１１４に表示させることにより、第１情報をユーザが視認しやすい態様で表示してもよい。
【００４９】
また、上記の実施形態において、表示装置１００がセグメント表示モードから同時表示モードへ切り替えた後、所定時間経過してからセグメント表示モードに切り替える例について説明した。しかし、表示装置１００は、セグメント表示モードから同時表示モードへ切り替えた後、ユーザからのセグメント表示モードの選択を受け付けるまで、同時表示モードを継続してもよい。また、上記の実施形態において、表示装置１００が、カラー表示モード、セグメント表示モード、同時表示モードの３つの表示モードを切り替える例について説明したが、表示装置１００は、カラー表示モード及び同時表示モードの２つの表示モードを切り替えるように構成されてもよい。
【００５０】
また、上記の実施形態において、表示装置１００は、同時表示モードにおいて、第１情報として、年月、歩数、高度、バッテリの充電を促すメッセージが表示される例について説明した。しかし、同時表示モードで表示される第１情報はこれに限られず、センサ部１２８に含まれる各種センサにより計測されるデータが、同時表示モードにおいて第１情報として表示されてもよい。また、同時表示モードにおいて表示される第１情報は、ユーザにより選択可能であってもよい。
【００５１】
また、上記の実施形態において、表示装置１００は、メインＣＰＵ１１１が動作している状態においてサブＣＰＵ１２１が同時表示モードを動作させてもよい。例えば、メインＣＰＵ１１１は動作しているが、第１表示部１１４への表示を行わず、その他各種機能に係る演算制御などの各種動作処理を行い、その状態でサブＣＰＵ１２１が第１表示部１１４に第１情報を表示させるとともに、第２表示部１２４に第２情報を表示させてもよい。
【００５２】
また、上記の実施形態では、メインＣＰＵ１１１及びサブＣＰＵ１２１が表示制御処理等の各種制御動作を行う例を説明した。しかし、制御動作は、ＣＰＵによるソフトウェア制御に限られるものではない。制御動作の一部又は全部が専用の論理回路などのハードウェア構成を用いてなされても良い。
【００５３】
また、以上の説明では、本実施形態の表示制御処理に係るプログラムを記憶するコンピュータ読み取り可能な媒体としてフラッシュメモリなどの不揮発性メモリからなる第１ＲＯＭ１１３、第２ＲＯＭ１２３を例に挙げて説明した。しかし、コンピュータ読み取り可能な媒体は、これらに限定されず、ＨＤＤ（Hard Disk Drive）、ＣＤ−ＲＯＭ（Compact Disc Read Only Memory）やＤＶＤ（Digital Versatile Disc）などの可搬型記録媒体を適用してもよい。また、本発明に係るプログラムのデータを通信回線を介して提供する媒体として、キャリアウェーブ（搬送波）も本発明に適用される。
【００５４】
その他、上記実施の形態で示した構成、制御手順や表示例などの具体的な細部は、本発明の趣旨を逸脱しない範囲において適宜変更可能である。
【００５５】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【００５６】
（付記１）
第１表示部と、
前記第１表示部の視認側に積層され、前記第１表示部よりも消費電力が小さい第２表示部と、
前記第１表示部を制御する第１制御部と、
前記第１表示部及び前記第２表示部を制御し、前記第１制御部よりも消費電力が小さい第２制御部と、
を備え、
前記第２制御部は、前記第１制御部が動作を停止している状態において、前記第１制御部が前記第１表示部に表示させる情報よりも処理負荷が軽い第１情報を前記第１表示部に表示させ、かつ前記第２表示部に第２情報を表示させる、
ことを特徴とする表示装置。
【００５７】
（付記２）
前記第２制御部は、前記第１制御部が動作している状態において、前記第１表示部に前記第１情報を表示させ、かつ前記第２表示部に前記第２情報を表示させる、
ことを特徴とする付記１に記載の表示装置。
【００５８】
（付記３）
前記第２制御部は、前記第１表示部の、前記第２情報が表示されている前記第２表示部の領域と少なくとも一部が重ならない領域に、前記第１情報を表示させる、
ことを特徴とする付記１または２に記載の表示装置。
【００５９】
（付記４）
前記第１情報は、前記第１制御部が前記第１表示部に表示させる情報よりも更新頻度が低い、
ことを特徴とする付記１乃至３のいずれか１つに記載の表示装置。
【００６０】
（付記５）
前記第１情報は、前記第１制御部が前記第１表示部に表示させる情報よりも表示サイズが小さい、
ことを特徴とする付記１乃至４のいずれか１つに記載の表示装置。
【００６１】
（付記６）
前記第１情報は、前記第１制御部が前記第１表示部に表示させる情報よりも使用する色数が少ない、
ことを特徴とする付記１乃至５のいずれか１つに記載の表示装置。
【００６２】
（付記７）
前記第２制御部は、前記第２表示部に前記第２情報を表示している間、ユーザから所定の操作を受け付けると、前記第１表示部に前記第１情報を表示させ、前記第１表示部に前記第１情報を表示させてから所定時間経過すると、前記第１表示部への前記第１情報の表示を終了する、
ことを特徴とする付記１乃至６のいずれか１つに記載の表示装置。
【００６３】
（付記８）
前記第２制御部が前記第２表示部を光が透過可能な状態に制御することにより、前記第１制御部により前記第１表示部に表示される情報が前記第２表示部を介して視認可能な第１表示モードと、
前記第２制御部が、前記第１制御部が動作を停止している状態において、前記第２表示部に第２情報を表示させる第２表示モードと、
前記第２制御部が、前記第１制御部が動作を停止している状態において、前記第１表示部に第１情報を表示させ、かつ前記第２表示部に第２情報を表示させる第３表示モードと、
を切替可能である、
ことを特徴とする付記１乃至７のいずれか１つに記載の表示装置。
【００６４】
（付記９）
前記第２表示部は、セグメント表示により前記第２情報を表示するセグメント表示領域を含む、
ことを特徴とする付記１乃至８のいずれか１つに記載の表示装置。
【００６５】
（付記１０）
前記第２表示部は、前記第１表示部よりも解像度が低いドットマトリックス表示により前記第２情報を表示するドットマトリックス表示領域を含む、
ことを特徴とする付記１乃至８のいずれか１つに記載の表示装置。
【００６６】
（付記１１）
現在時刻を計時する計時部をさらに備え、
前記第２表示部は、前記第２情報として前記計時部により計時された現在時刻を表示する、
ことを特徴とする付記１乃至１０のいずれか１つに記載の表示装置。
【００６７】
（付記１２）
第１表示部と、前記第１表示部の前面に積層され、前記第１表示部よりも消費電力が小さい第２表示部と、前記第１表示部を制御する第１制御部と、前記第１表示部及び前記第２表示部を制御し、前記第１制御部よりも消費電力が小さい第２制御部と、を備える表示装置の表示制御方法であって、
前記第２制御部が、前記第１制御部が動作を停止している状態において、前記第１制御部が前記第１表示部に表示させる情報よりも処理負荷が軽い第１情報を前記第１表示部に表示させ、かつ前記第２表示部に第２情報を表示させるステップを含む、
ことを特徴とする表示制御方法。
【００６８】
（付記１３）
第１表示部と、前記第１表示部の前面に積層され、前記第１表示部よりも消費電力が小さい第２表示部と、前記第１表示部を制御する第１制御部と、前記第１表示部及び前記第２表示部を制御し、前記第１制御部よりも消費電力が小さいコンピュータと、を備える表示装置の前記コンピュータを、
前記第１制御部が動作を停止している状態において、前記第１制御部が前記第１表示部に表示させる情報よりも処理負荷が軽い第１情報を前記第１表示部に表示させ、かつ前記第２表示部に第２情報を表示させる表示制御手段、
として機能させることを特徴とするプログラム。
【符号の説明】
【００６９】
１００…表示装置、１１１…メインＣＰＵ、１１２…第１ＲＡＭ、１１３…第１ＲＯＭ、１１４…第１表示部、１１５…第１表示ドライバ、１１６…第１操作受付部、１１７…通信部、１１８…アンテナ、１２１…サブＣＰＵ、１２２…第２ＲＡＭ、１２３…第２ＲＯＭ、１２４…第２表示部、１２５…第２表示ドライバ、１２６…第２操作受付部、１２７…計時部、１２８…センサ部、１２９…電力供給部、１４１…タッチパネル、１５１…カラー表示制御部、１５２…セグメント表示制御部、１５３…同時表示制御部、２０１…ドットマトリックス表示領域、２０２…第１セグメント表示領域、２０３…第２セグメント表示領域
【図１】
2020098299.tif 000003
【図２】
2020098299.tif 000004
【図３】
2020098299.tif 000005
【図４】
2020098299.tif 000006
【図５】
2020098299.tif 000007